(57)【要約】【課題】容易に開封でき、包装袋から内容物の形状を損なうことなくスムーズに取り出すことが可能な易開封性包装袋を提供する。【解決手段】直線カット性フィルムと熱融着性フィルムとからなる積層フィルムを熱融着して製袋した背貼り部を有する包装袋であって、少なくとも１箇所の熱融着部がフィルム端辺との間に非接着部を有し、前記熱融着部が易剥離性であり、前記非接着部の両隅がカットされ、非接着部から折り曲げ線に沿って包装袋の少なくとも１面を帯状に開封することを特徴とする易開封性包装袋。【選択図】　図１
2004026169.tif 000002
【特許請求の範囲】
【請求項１】
直線カット性フィルムと熱融着性フィルムとからなる積層フィルムを熱融着して製袋した背貼り部を有する包装袋であって、少なくとも１箇所の熱融着部がフィルム端辺との間に非接着部を有し、前記熱融着部が易剥離性であり、前記非接着部の両隅がカットされ、非接着部から折り曲げ線に沿って包装袋の少なくとも１面を帯状に開封することを特徴とする易開封性包装袋。
【請求項２】
背貼り部を有する包装袋がガゼット袋であり、折り曲げ線に沿って包装袋の表裏面及び側面を帯状に開封することを特徴とする請求項１記載の易開封性包装袋。
【発明の詳細な説明】
【０００１】
【発明の属する技術分野】
本発明は、易開封性包装袋に関するものであり、特に帯状に開封することができる包装袋に関するものである。
【０００２】
【従来の技術】
従来、嵩高く柔かい内容物や崩れ易い内容物、例えば洋菓子、和菓子等は、効率よくかつタイトに包装するために背貼り部を有するピロータイプ形状の袋（以下ピロー包装袋と記載）に包装されている。また、コロッケ、シューマイ等の惣菜においては、内容物の整列、形態保持、流通販売の利便性からそれら内容物をトレーに詰め、そのトレーをピロー包装袋に入れて供給されている。
【０００３】
このような包装袋を開封して内容物を取り出す場合、はさみ、包丁、ナイフ等の用具が使用されるが、できるだけこれらの用具を用いずに開封できる包装袋が望まれている。そこで手で包装袋を開封できるようにするため、包装袋には易開封手段が施されており、その開封方法としては、▲１▼包装袋のシール部にノッチや微細傷痕を形成してそこを開封開始点として手指で引裂いて開封する方法、▲２▼包装袋の折り曲げ部分に微細傷痕を形成しそこを開封開始点として手指で引裂いて開封する方法、あるいは▲３▼包装袋のシール部分の強度をコントロールして手指の力でシール部分を剥離して開封する方法等がある。たとえば、図４は従来技術による背貼り部を有する包装袋の一例であり、（ａ）は背貼り部を有する包装袋及びシール部に設けたノッチ４Ａを示し、（ｂ）はこのノッチ部から袋を開封してできた開封状態と開封口４Ｂを示している。
【０００４】
しかしながら、包装袋のシール部にノッチや微細傷痕を形成してそこを開封開始点として手指で引裂いて開封する方法▲１▼、あるいは包装袋の折り曲げ部分に微細傷痕を形成しそこを開封開始点として手指で引裂いて開封する方法▲２▼は、内容物が嵩高いものであったり、壊れ易いものないしは型崩れしやすいものであった場合、袋が内容物に引っかかり、内容物が変形したり破損してしまう可能性があった。また内容物に引っかからないようにずらして開封すると、図４（ｂ）のように開封片が横切れしてしまい最後まで切り通せず、内容物がスムーズに取り出せない場合があった。また、トレー入りの内容物を包装した袋を、前記と同じノッチや微細傷痕から引裂いて開封する場合も、開封片がトレーに引っかかりスムーズに開封できない場合があった。
また内容物によっては、開封後の包装袋が容器代わりにならないため、開封と同時に袋から内容物を取り出し別の容器に移し替えたり、横から袋内に指を入れて内容物を取り出す作業をしなければならず、煩雑であったり手を汚す煩わしさがあった。
また、チョコレートのように手に持っていると溶けて手を汚す内容物や、清潔さが要求される内容物は、直接手に触れずに食することが好ましいが、これらを包装した袋は、従来の方法で開封することは困難であった。
【０００５】
一方、包装袋のシール部分の強度をコントロールして手指の力でシール部分を剥離して開封する方法▲３▼は、包装袋のシール強度を弱くする必要があるが、包装袋としての密封性を確保しなければならずある程度のシール強度が必要になり、重量物を包装した袋のシール部分を手指で開封することは困難であった。
【０００６】
また、特開平１０−２３０９７１号公報には、易剥離に熱融着した包装袋であって、熱融着する辺の少なくとも一辺の端部から熱融着部にいたる部分に非接着部を形成し、該非接着部のフィルム端部から熱融着部の一部に食い込む易裂性処理を施した易開封性包装袋が開示されている。しかしながら、この包装袋は、良好な引裂性を得るため、ノッチ、微細な傷痕域などの易裂性処理を熱融着部にまで施さなければならないため、包装袋としての強度が低下することがあり、商品流通時やボイル・レトルト処理時において、包装袋が破袋することがあった。
【０００７】
【発明が解決しようとする課題】
本発明は上記のような問題に鑑み、内容物を破損することなく容易に手で最後まで開封することができ、内容物を取り出しやすくし、また場合によっては開封後内容物を取り出すことなく包装袋を容器代わりにすることができ、包装袋としての強度が低下しない易開封包装袋を提供することを目的とするものである。
【０００８】
【課題を解決するための手段】
本発明者らは、上記課題について鋭意検討した結果、直線カット性と熱融着性とを有する積層フィルムを熱融着して製袋した背貼り部を有する包装袋において、フィルム端辺と熱融着部との間に非接着部を設け、前記熱融着部を易剥離性とし、前記非接着部の両隅をカットすることにより、非接着部から折り曲げ線に沿って包装袋の少なくとも１面を帯状に開封でき、これにより上記問題が解決できることを見出し、本発明を完成した。すなわち、本発明の要旨は以下のとおりである。
（１）　直線カット性フィルムと熱融着性フィルムとからなる積層フィルムを熱融着して製袋した背貼り部を有する包装袋であって、少なくとも１箇所の熱融着部がフィルム端辺との間に非接着部を有し、前記熱融着部が易剥離性であり、前記非接着部の両隅がカットされ、非接着部から折り曲げ線に沿って包装袋の少なくとも１面を帯状に開封することを特徴とする易開封性包装袋。
（２）　背貼り部を有する包装袋がガゼット袋であり、折り曲げ線に沿って包装袋の表裏面及び側面を帯状に開封することを特徴とする（１）記載の易開封性包装袋。
【０００９】
【発明の実施の形態】
本発明において、背貼り部を有する包装袋としては、ピロー袋、ガゼット袋が挙げられ、嵩高い内容物を包装するためにはガゼット袋が好ましい。
【００１０】
本発明の易開封性包装袋を構成する積層フィルムは、少なくとも一層に直線カット性を有する基材フィルムと熱融着性を有するシーラントフィルムからなる積層フィルムである。
【００１１】
直線カット性を有する基材フィルムとしては、一軸延伸フィルムあるいは二軸延伸フィルム等が挙げられ、一軸延伸フィルムの場合は、主としてポリオレフィンが、また二軸延伸フィルムの場合は、二軸延伸ポリエステルフィルム、二軸延伸ポリプロピレンフィルム、二軸延伸ナイロンフィルム等が用いられる。基材フィルムは、強度、寸法安定性、及び印刷、ラミネート加工適性を具備しておればよいが、フィルム強度とラミネート加工適性を考慮すると、二軸延伸フィルムが望ましい。
【００１２】
基材フィルムに直線カット性を付与する方法として、基材フィルムの樹脂組成を特定する方法、また、開封線に沿って誘導されるよう包装フィルムの表面に微細な傷をつける方法が挙げられる。基材フィルムの樹脂組成を特定して直線カット性を付与する方法は、包装フィルムに傷をつけることがないため、包材自体の強度が低下することがなく、耐ピンホール性、耐落袋性などの包装袋としての内容物保護性能が損なわれることがないので好ましい。
【００１３】
基材フィルムの樹脂組成を特定して直線カット性を付与した二軸延伸フィルムの具体例としては、６ナイロン／ポリメタキシリレンアジパミド（ＭＸＤ６）＝８０／２０〜９５／５（質量比）からなるポリアミド樹脂組成物を主原料とした二軸延伸ポリアミドフィルム、もしくは特開平９−３２４０５７号公報に記載されているように、ポリエチレンテレフタレート（以下ＰＥＴと略記する）とＰＥＴに分子量１０００〜１３０００のポリエチレングリコールが１０〜４０質量％含有された変性ＰＥＴを質量比で、ＰＥＴ／変性ＰＥＴ＝５０／５０〜８０／２０の割合で混合した樹脂組成物からなるフィルムであって、フィルムの移動方向（ＭＤ）及びフィルムの幅方向（ＴＤ）に各々３．０〜５．０倍の倍率で二軸延伸された二軸延伸ポリエステルフィルムが挙げられる。
【００１４】
上記基材フィルムにシーラントフィルムを積層した場合、シーラントフィルムの厚みにより基材フィルムの直線カット性が阻害される傾向にある。この場合、前記基材フィルムを複数層積層することにより、より確実で高度な直線カット性を発現することができる。
【００１５】
本発明の包装袋を構成する積層フィルムは、上記基材フィルムにシーラントフィルムを積層したものである。シーラントフィルムとしては、積層フィルムのシーラントフィルム面同士を熱融着して製袋することができるものであり、さらに、後述するように開封時には熱融着部が易剥離性を示すものであればよい。シーラントフィルムの具体例としては、低密度、中密度、高密度ポリエチレン、線状低密度ポリエチレン、アイソタクティックポリエチレン、プロピレン−エチレン共重合体、エチレン−酢酸ビニル共重合体、エチレン−アクリル酸共重合体、エチレン−メタクリル酸メチル共重合体、イオン架橋オレフィン共重合体（アイオノマー）が挙げられる。
【００１６】
直線カット性を有する基材フィルムとシーラントフィルムとを積層する方法としては、接着剤または接着性樹脂を介して積層する方法が挙げられる。具体的な積層方法としては、ポリウレタン系接着剤によるドライラミネート法、あるいはアンカー剤を介した接着性樹脂による押出ラミネート法等が用いられる。
【００１７】
本発明の易開封性包装袋は、上記積層フィルムを用いて製袋されたものであって、フィルム端辺と熱融着部との間に非接着部を有し、前記熱融着部が易剥離性であり、前記非接着部の両隅がカットされたものである。
【００１８】
次に、本発明の易開封包装袋について図に基づいて説明する。
図１は本発明の易開封性包装袋の一実施例を示すものである。（図１ではガゼット袋を例示した）。図１（ａ）は包装袋の未開封状態を示す斜視図、図１（ｂ）は包装袋の開封状態を示す斜視図であり、図２は包装袋を示す平面図であり、図３は非接着部の両隅をカット（以下コーナーカットと記載）を設けた平面図である。また図５は比較例における開封状態を示す平面図である。
【００１９】
本発明の易開封性包装袋は、例えば図２に示すように、開封辺２Ｃにあたる熱融着部２Ａが易剥離性であり、かつ、包装袋の開封辺２Ｃと熱融着部２Ａの間に非接着部２Ｂが設けられており、さらに非接着部２Ｂには、その両隅を図３のように切り欠いてカットが設けられ、開封開始点を有している。
【００２０】
開封辺にあたる熱融着部に易剥離性を付与するには、種々の方法を用いることができ、例えば熱融着面の界面剥離、シーラントフィルムの凝集破壊等の方法を用いることができる。シーラントフィルムの凝集破壊を用いる方法は、シール圧の変動及び夾雑物による易剥離性の低下の影響を受けにくいため好ましい。本発明において、開封辺にあたる熱融着部２Ａの易剥離性としては、９０°の剥離試験において、１．３〜７．８Ｎ／ｃｍの範囲の抵抗値であることが好ましく、この剥離時の抵抗値は、内容物の種類、内容量、開封する部分の幅等によって適宜設定することができる。
【００２１】
非接着部２Ｂの領域としては、手指でつまんで開封する際に支障とならなければその領域には特に限定されるものではないが、開封辺２Ｃから熱融着部２Ａまでの長さ２Ｆは１０ｍｍ以上が望ましい。
【００２２】
本発明の包装袋において開封開始点は、図３に示すように非接着部２Ｂのコーナーカットである。非接着部２Ｂを袋の開封方向に引張ることにより、カットの先端部分に応力集中し、手指の比較的弱い力で包装袋に切れ目が入り、容易に開封が開始される。コーナーカットの角度としては、非接着部２Ｂを袋の開封方向に引張ることにより切れ目を与えることができれば何度でもよい。角度が小さいほど鋭角になるためカットの先端部分への応力集中度が大きくなり開封開始が容易になるが、見映え、実用性等を鑑みて包装袋の幅方向に対し３０〜６０°が望ましい。
【００２３】
このように開封開始点としてコーナーカットが形成された場合、易開封性包装袋は、特に限定されるものではないが、次のようにして開封することができる。包装袋の非接着部２Ｂの裏側を指で押さえながら、開封のつまみしろとなる非接着部２Ｂの表面を手指で掴み、折り曲げ線２Ｄに沿って引張ることにより、コーナーカット部を起点に包装袋が引裂かれることになる。続いて易剥離性の熱融着部２Ａが容易に剥離され、さらに包装袋を構成する積層フィルムに直線カット性フィルムを積層しているため、包装袋天面と側面の折り曲げ線２Ｄに沿って初期の幅のまま帯状に引裂けていき、該開封片を取り去った後には広い開封口１Ａが形成される。包装袋のいわゆる天面全部が取り除かれることとなる。したがって、従来技術においては、ノッチ４Ａにより開封して形成される開封口が包装袋の側面の開封口４Ｂであったのに対し、本発明においては、開封口は包装袋の天面となる開封口１Ａになる。
【００２４】
さらに、ガゼット袋においては、図６に示すように開封することができる。図６（ａ）は未開封状態、（ｂ）、（ｃ）、（ｄ）はガゼット袋の開封状態を段階的に示す斜視図である。図６（ｂ）は袋の裏面（背貼り部を有する面）を折り曲げ線に沿って帯状に開封したものであり、（ｃ）は袋の表面（背貼り部がない面）を折り曲げ線に沿って帯状に開封したものであり、さらに、（ｄ）は袋の側面を除き、内容物を露出したものである。すなわち、本発明のガゼット袋状の易開封性包装袋は、上記のように、袋の表裏及び側面を開封することにより、袋をあたかもバナナの皮を剥くように開封することが可能となる。
【００２５】
また、ガゼット袋は図７に示すように開封することもできる。すなわち、図７（ａ）に示すようにガゼット袋の側面を折り曲げ線に沿って帯状に開封し、次いで（ｂ）に示すように袋の反対側の側面を折り曲げ線に沿って帯状に開封してもよい。
【００２６】
本発明の易開封性包装袋は、直線カット性フィルムを積層した積層フィルムで構成され、直線カット性フィルムの直線カット性を発現する方向と包装袋の開封方向とを同一にしているため、上記方法によって開封した場合、初期の開封幅のままほぼ完全に平行に帯状に開封することができる。
【００２７】
本発明の包装袋を構成する積層フィルムは、基材フィルムとシーラントフィルムとからなるが、包装袋に充填する内容物の性状に応じて他のフィルムを積層することができる。例えば、包装材料の強度の向上、内容物の品質保持のための防湿性、ガスバリア性の向上あるいは遮光性が必要であれば、基材フィルムとシーラントフィルムの間に中間層を積層することができる。中間層に用いるフィルムとしては、例えばアルミニウム箔、ポリビニルアルコール、ポリ塩化ビニリデン、エチレン−酢酸ビニル共重合体のケン化物、ポリエステル、ナイロン、ポリエチレン、ポリプロピレン等の樹脂からなる未延伸または延伸フィルム、及びこれらのフィルムにアルミニウム等の金属、酸化珪素、酸化アルミ等の酸化物の蒸着層を設けたものを使用することができる。
【００２８】
さらに包装袋自体の流通、保管における強度をアップさせるために、強度付与層として最外層に二軸延伸ナイロン、二軸延伸ポリエステル等のフィルムを積層することもできる。
【００２９】
基材フィルムと中間層、中間層とシーラントフィルム、及び基材フィルムと最外層とをラミネートする方法としては、ポリウレタン系接着剤によるドライラミネート法、あるいはアンカー剤を介した接着性樹脂による押出ラミネート法等を用いることができる。
【００３０】
基材フィルムとシーラントフィルム以外の層を積層した多層構成の積層フィルムからなる包装袋においても、包装袋全体の直線カット性発現方向は直線カット性フィルムの直線カット性発現方向に依存するので、帯状開封が可能になる。さらに多層構成の場合、直線カット性を有する基材フィルムはシーラントフィルムに隣接する位置に配置するのが望ましい。こうすることにより包装袋全体の直線カット性はより高度に発揮することができる。
【００３１】
本発明の包装袋を開封すると、前述の通り、袋の側面でなく、袋の天面に相当する部分を帯状に開封でき、天面全面を開封口とすることができるため、開封した後他の容器に移しかえることなく、包装袋をそのまま容器代わりにして、袋の上から内容物を取り出すことが可能になる。また袋の側面に開封口を形成する従来方式では、内容物が嵩高いもの、あるいは破損しやすいものの場合、包装袋の切れ端が引っかかりスムーズに開封できない、あるいは内容物を破損し商品価値を低下させるおそれがあったが、本発明の包装袋は、袋の天面全部を取り除き開封口を形成することができるスタイルなので、内容物を破損することなく形状を維持したままスムーズに取り出すことが可能になる。
【００３２】
【実施例】
以下、実施例及び比較例によりさらに具体的な方法について説明するが、これらの実施例は本発明を限定するものではない。
【００３３】
初期開封性：
開封辺の非接着部を手指で掴み、引張って開封する時に、最初にきり込みがスムーズに入るかどうか官能的に評価した。評価は３段階で○、△、×の相対評価とした。
【００３４】
帯状開封性：
開封辺の非接着部を手指で掴み、ゆっくり開封していった。開封開始時の帯幅（初期開封幅）に対する開封終了時の帯幅（末端到達後の開封幅）、すなわち（末端到達後の開封幅／初期開封幅）をズレ量（％）として求めた。また開封後の開封口の外観性を目視にて評価した。評価は３段階で○、△、×の相対評価とした。
【００３５】
実施例１
直線カット性を有するＰＥＴフィルム（ユニチカ社製エンブレットＰＣ、１２μｍ、ＰＣ１２）とイージーピールシーラント（東セロ社製　ＣＭＰＳ０１３Ｃ、３０μｍ、ＥＰ３０）をポリウレタン接着剤（武田薬品工業社製　Ａ５１５／Ａ５０、塗布量：４．０ｇ（ｄｒｙ）／ｍ２）を介しドライラミネーション法で貼り合わせて積層フィルムを得た。この積層フィルムを用いて、外寸が幅６０ｍｍ×長さ２３０ｍｍ、背シール部１０ｍｍ、底シール部１０ｍｍのガゼット袋を作成した（シール条件：１４０℃、４ｋｇ／ｃｍ２、２秒）。
この袋に羊羹をホット充填にて入れた後、袋の上端部から１０ｍｍの位置に１０ｍｍ幅のトップシールを施し（シール条件は同じ）、さらに非接着部の上端部の両コーナーにカッターで包装袋の幅方向に対し４５°にカットを入れ、包装袋を作成した。
得られた包装袋の開封テストを行った結果、初期開封性は非常にスムーズであり、また帯状開封性もほぼガゼット袋の折り曲げ線に沿って開封できており、開封後の開封口も外観的に良好であった。ズレ量は９８％であった。また、袋の表面も開封することができ、側面を除くと、内容物を露出することができた。
【００３６】
実施例２
実施例１で用いたものと同一の積層フィルムを用いて、外寸が幅５０ｍｍ×長さ２３０ｍｍ、背シール部１０ｍｍ、底シール部１０ｍｍのピロー袋を作成した以外は実施例１と同様な方法で実施し、包装袋を作成した。
得られた包装袋の開封テストは、実施例１と同様の結果であった。ズレ量は９６％であった。
【００３７】
実施例３
直線カット性を有するＰＥＴフィルム（ＰＣ１２）とＡｌ箔（日本製箔社製Ａｌ７、７μｍ、Ａｌ７）とをポリウレタン接着剤を介しドライラミネーション法で貼り合わせた積層フィルムを作成し、さらにドライラミネーション法でＡｌ箔面にイージーピールシーラント（ＥＰ３０）を貼り合わせた。この積層フィルムを用いて、実施例１と同様な方法でガゼット袋、包装袋を得た。
得られた包装袋は、Ａｌ箔が積層されていても初期開封性は非常にスムーズであり、また帯状開封性もほぼガゼット袋の折り曲げ線に沿って開封できており、開封後の開封口も外観的に良好であった。包装袋としてはＡｌ箔を積層しているため腰が出て形状保持性があり容器代わりにも使用できるものであった。ズレ量は９０％であった。また、袋の表面も開封することができ、側面を除くと、内容物を露出することができた。
【００３８】
実施例４
シーラント層をポリサンド法による押出樹脂ＬＤＰＥ（住友化学工業社製Ｌ２１１、２０μｍ、ＰＥ２０）とイージーピールシーラント（東セロ社製　ＣＭＰＳ０１３Ｃ、５０μｍ、ＥＰ５０）を使用した以外は、実施例３と同様な方法でガゼット袋、包装袋を得た。
得られた包装袋の初期開封性はシーラントの厚みが増した分若干抵抗感があったが、十分に切り込みは入っていた。帯状開封性についてはシーラント厚みが増した分若干低下し、帯幅は先細りした。ズレ量は７８％であった。また、袋の表面も開封することができ、側面を除くと、内容物を露出することができた。
【００３９】
実施例５
Ａｌ箔と押出樹脂（ＬＤＰＥ）２０μｍの間に直線カット性を有するナイロンフィルム（ユニチカ社製エンブレムＮＣ１５、１５μｍ）をドライラミネート法により積層した以外は、実施例４と同様な方法でガゼット袋、包装袋を得た。すなわち直線カット性フィルムを２枚積層した包装袋を得た。
得られた包装袋の初期開封性は包装材料の厚みが増した分若干抵抗感があったが、十分に切り込みは入っていた。帯状開封性については直線カット性フィルムを２枚使用することで劇的に向上し、ほぼガゼット袋の折り曲げ線に沿って開封できており、外観的にも良好であった。ズレ量はシーラントフィルム３０μｍの時に匹敵し９６％であった。副次効果として引裂抵抗力も低下した。多層構成において直線カット性フィルムを２枚使用する場合はどちらか一方をシーラント層に隣接する位置に配置すると効果が発揮される。また、袋の表面も開封することができ、側面を除くと、内容物を露出することができた。
【００４０】
比較例１〜５
実施例１〜５において、直線カット性を有するＰＥＴフィルムの代わりに一般ＰＥＴフィルム（１２μｍ、ＰＥＴ１２）、直線カット性を有するナイロンフィルムの代わりに一般ナイロンフィルム（ユニチカ社製ＯＮ１５、１５μｍ、ＯＮ１５）を使用した以外は、同様な方法で各々の袋を得た。
得られた包装袋の初期開封性は実施例１〜４と同様な結果が得られたが、帯状開封性に関しては直線カット性フィルムを使用していないため、引裂きの方向がコントロールできず、先細りしてしまったり、歪な方向に引裂けたりして最後まで開封できないものもあり、中身の取りだしがスムーズにできなかった。
【００４１】
比較例６〜７
実施例１〜２において、非接着部の上端部の両コーナーをカットしない以外は同様な方法でガゼット袋、包装袋を得た。
得られた包装袋の初期開封性については、非接着部に全く引裂開始点がない状態なので、開封ができなかった。したがって帯状開封性の確認もできなかった。
【００４２】
比較例８〜９
実施例１〜２において、従来型の非接着部を設けないガゼット袋、ピロー袋を作成し、右端から１０ｍｍの位置のトップシール部に深さ３ｍｍのＩノッチを入れた。
得られた包装袋のＩノッチから引裂いて開封すると、開封片によって羊羹が削り取られてしまった。また羊羹が削り取られないように注意して開封すると、引裂き方向が斜めになり、開封開始端の反対側の端部に到達することなく、包材が途中で切れてしまい、内容物を取り出すことができなかった。
【００４３】
【表１】
2004026169.tif 000003
【００４４】
【発明の効果】
本発明の易開封性包装袋によれば、背貼り部を有する包装袋において、従来の包装袋に比べ開封が容易になり、かつ充填された内容物が嵩高いものであったり、壊れ易いもの、型崩れしやすいものであっても、内容物の形状を保持したままの取り出しが可能になる。また、あたかもバナナの皮を剥くように開封することができるので、内容物に直接手に触れずに食することもできる。
【図面の簡単な説明】
【図１】本発明の易開封性包装袋の一実施例を示す斜視図である。
【図２】本発明の易開封性包装袋の一実施例を示す平面図である。
【図３】開封開始点を示す平面図である。
【図４】従来技術による背貼り部を有する包装袋の一例である。
【図５】比較例における開封状態を示す平面図である。
【図６】本発明の易開封性包装袋の一開封例を示す斜視図である。
【図７】本発明の易開封性包装袋の一開封例を示す斜視図である。
【符号の説明】
１Ａ　開封口
２Ａ　熱融着部
２Ｂ　非接着部
２Ｃ　開封辺
２Ｄ　折り曲げ線
４Ａ　ノッチ
４Ｂ　開封口
４Ｃ　背貼り部
Ｂ　　裏面
Ｃ　　側面
Ｄ　　側面
【図１】
2004026169.tif 000004
【図２】
2004026169.tif 000005
【図３】
2004026169.tif 000006
【図４】
2004026169.tif 000007
【図５】
2004026169.tif 000008
【図６】
2004026169.tif 000009
【図７】
2004026169.tif 000010